(57)【要約】【課題】用紙の表面に印刷された内容をその用紙を折り畳んだ状態でも参照可能とするような印刷を行うための印刷制御プログラム、印刷制御方法及び印刷制御装置の提供。【解決手段】印刷制御プログラムであって、コンピュータに、印刷ジョブを取得する印刷ジョブ取得ステップと、印刷ジョブを展開して印刷データを生成する展開ステップと、印刷データを記憶する記憶ステップと、記憶された印刷データに基づく画像形成装置による印刷を制御する制御ステップと、を少なくとも実行させ、展開ステップにおいて、用紙全面に対応する第一の印刷データを生成するとともに、第一の印刷データを予め指定した方法により加工して第二の印刷データを生成し、制御ステップにおいて、第一の印刷データおよび第二の印刷データを用紙の表面および裏面のそれぞれに印刷するように制御する。【選択図】図１
2005234886.tif 000002
【特許請求の範囲】
【請求項１】
画像形成装置による用紙上への印刷の制御を行う印刷制御プログラムであって、
コンピュータに、
印刷ジョブを取得する印刷ジョブ取得ステップと、
前記印刷ジョブを展開して印刷データを生成する展開ステップと、
前記印刷データを記憶する記憶ステップと、
前記記憶された印刷データに基づく前記画像形成装置による印刷を制御する制御ステップと、
を少なくとも実行させ、
前記展開ステップにおいて、前記用紙全面に対応する第一の印刷データを生成するとともに、前記第一の印刷データを予め指定した方法により加工して第二の印刷データを生成し、
前記制御ステップにおいて、前記第一の印刷データおよび前記第二の印刷データを前記用紙の表面および裏面のそれぞれに印刷するように制御することを特徴とする印刷制御プログラム。
【請求項２】
請求項1に記載の印刷制御プログラムであって、
前記展開ステップにおいて、前記第一の印刷データを縮小して前記第二の印刷データを生成することを特徴とする印刷制御プログラム。
【請求項３】
請求項１に記載の印刷制御プログラムであって、
前記展開ステップにおいて、前記第一の印刷データの特定部分を抽出して前記第二の印刷データを生成することを特徴とする印刷制御プログラム。
【請求項４】
請求項１に記載の印刷制御プログラムであって、
前記展開ステップにおいて、前記第一の印刷データの特定部分を抽出し拡大して前記第二の印刷データを生成することを特徴とする印刷制御プログラム。
【請求項５】
請求項２〜４のいずれか１つに記載の印刷制御プログラムであって、
前記展開ステップにおいて、さらに、前記第一の印刷データの座標軸を回転させて前記第二の印刷データを生成することを特徴とする印刷制御プログラム。
【請求項６】
請求項１〜５のいずれか１つに記載の印刷制御プログラムであって、
前記第二の印刷データとして、さらに、折れ線を表す画像を重畳することを特徴とする印刷制御プログラム。
【請求項７】
画像形成装置による用紙上への印刷の制御を行う印刷制御方法であって、
前記印刷ジョブを取得する印刷ジョブ取得ステップと、
前記印刷ジョブを展開して印刷データを生成する展開ステップと、
前記印刷データを記憶する記憶ステップと、
前記記憶された印刷データに基づく前記画像形成装置による印刷を制御する制御ステップと、
を含み、
前記展開ステップにおいて、前記用紙全面に対応する第一の印刷データを生成するとともに、前記第一の印刷データを予め指定した方法により加工して第二の印刷データを生成し、
前記制御ステップにおいて、前記第一の印刷データおよび前記第二の印刷データを前記用紙の表面および裏面のそれぞれに印刷するように制御することを特徴とする印刷制御方法。
【請求項８】
画像形成装置による用紙上への印刷の制御を行う印刷制御装置であって、
前記印刷ジョブを取得する印刷ジョブ取得手段と、
前記印刷ジョブを展開して印刷データを生成する展開手段と、
前記印刷データを記憶する記憶手段と、
前記記憶された印刷データに基づく前記画像形成装置による印刷を制御する制御手段と、
を有し、
前記展開手段は、前記用紙全面に対応する第一の印刷データを生成するとともに、前記第一の印刷データを予め指定した方法により加工して第二の印刷データを生成し、
前記制御手段は、前記第一の印刷データおよび前記第二の印刷データを前記用紙の表面および裏面のそれぞれに印刷するように制御することを特徴とする印刷制御装置。
【請求項９】
請求項８に記載の印刷制御装置であって、
前記記憶手段は、
前記第一の印刷データを記憶する第一の記憶手段と、
前記第二の印刷データを記憶する第二の記憶手段と、
を少なくとも含むことを特徴とする印刷制御装置。
【発明の詳細な説明】
【技術分野】
【０００１】
本発明は、印刷ジョブに基づく画像形成装置による用紙上への印刷、を制御する印刷制御プログラム、印刷制御方法及び印刷制御装置に関するものであり、より詳細には印刷後の用紙を折り畳んで配置し利用するのに好適な印刷制御プログラム、印刷制御方法及び印刷制御装置に関するものである。
【背景技術】
【０００２】
複数の頁から成る文書情報を閲覧する場合、一覧性を確保するためには何らかの工夫が必要である。紙面に印刷されて書籍などの形式に綴じられたものでは、複数の異なる頁を同時に閲覧することはほぼ不可能である。これは文書情報が電子計算機上にある場合でも同様であり、異なる頁を閲覧するためには頁問を遷移して画面表示を変更する操作を行い別の頁を表示することが一般的であり、複数の頁を同時に閲覧することは難しい。
【０００３】
この問題を解決して文書情報の複数頁を同時に閲覧するためには、書籍などの紙文書を複写したり電子計算機上の文書情報を印刷したりして複数の用紙上に展開すると同時に、机上または部屋の壁面などにそれらの用紙を配置するといった方法が考えられる。ところが、この方法では机面や壁面などの大きさによって配置できる用紙の数が決まってしまうため、それ以上の用紙を同時に配置することは困難である。このような場合に複数の用紙のそれぞれが一部重なり合うように配置することで、配置可能な用紙の数を増やすことは可能であるが、それでは当初の目的である一覧性が損なわれてしまう。
【０００４】
そこで、それぞれの用紙を折り畳んで配置し、必要に応じて展開する方法が考えられる。このように、折り畳むことを前提に用紙に印刷を行う方法としては、例えば特開平９−８６０７２号公報（特許文献１）に開示されている折丁に対する印刷方法があるが、これは折丁を開いていく過程で連接する片体に連続する内容が印刷されるように印刷位置の配置を行うものである。
【０００５】
【特許文献１】特開平９−８６０７２号公報
【発明の開示】
【発明が解決しようとする課題】
【０００６】
しかしながら、特許文献１の方法では、文書情報の連続する頁を順番に閲覧するには適しているが、連続していない複数頁を同時に閲覧するという目的には適さない。
【０００７】
本発明は、用紙の表面に印刷された内容をその用紙を折り畳んだ状態でも参照可能とするような印刷を行うための印刷制御プログラム、印刷制御方法及び印刷制御装置である。
【課題を解決するための手段】
【０００８】
本発明は、画像形成装置による用紙上への印刷の制御を行う印刷制御プログラムであって、コンピュータに、印刷ジョブを取得する印刷ジョブ取得ステップと、前記印刷ジョブを展開して印刷データを生成する展開ステップと、前記印刷データを記憶する記憶ステップと、前記記憶された印刷データに基づく前記画像形成装置による印刷を制御する制御ステップと、を少なくとも実行させ、前記展開ステップにおいて、前記用紙全面に対応する第一の印刷データを生成するとともに、前記第一の印刷データを予め指定した方法により加工して第二の印刷データを生成し、前記制御ステップにおいて、前記第一の印刷データおよび前記第二の印刷データを前記用紙の表面および裏面のそれぞれに印刷するように制御する。
【０００９】
また、前記印刷制御プログラムであって、前記展開ステップにおいて、前記第一の印刷データを縮小して前記第二の印刷データを生成することが好ましい。
【００１０】
また、前記印刷制御プログラムであって、前記展開ステップにおいて、前記第一の印刷データの特定部分を抽出して前記第二の印刷データを生成することが好ましい。
【００１１】
また、前記印刷制御プログラムであって、前記展開ステップにおいて、前記第一の印刷データの特定部分を抽出し拡大して前記第二の印刷データを生成することが好ましい。
【００１２】
また、前記印刷制御プログラムであって、前記展開ステップにおいて、さらに、前記第一の印刷データの座標軸を回転させて前記第二の印刷データを生成することが好ましい。
【００１３】
また、前記印刷制御プログラムにおいて、前記第二の印刷データとして、さらに、折れ線を表す画像を重畳することが好ましい。
【００１４】
また、本発明は、画像形成装置による用紙上への印刷の制御を行う印刷制御方法であって、前記印刷ジョブを取得する印刷ジョブ取得ステップと、前記印刷ジョブを展開して印刷データを生成する展開ステップと、前記印刷データを記憶する記憶ステップと、前記記憶された印刷データに基づく前記画像形成装置による印刷を制御する制御ステップと、を含み、前記展開ステップにおいて、前記用紙全面に対応する第一の印刷データを生成するとともに、前記第一の印刷データを予め指定した方法により加工して第二の印刷データを生成し、前記制御ステップにおいて、前記第一の印刷データおよび前記第二の印刷データを前記用紙の表面および裏面のそれぞれに印刷するように制御する。
【００１５】
また、本発明は、画像形成装置による用紙上への印刷の制御を行う印刷制御装置であって、前記印刷ジョブを取得する印刷ジョブ取得手段と、前記印刷ジョブを展開して印刷データを生成する展開手段と、前記印刷データを記憶する記憶手段と、前記記憶された印刷データに基づく前記画像形成装置による印刷を制御する制御手段と、を有し、前記展開手段は、前記用紙全面に対応する第一の印刷データを生成するとともに、前記第一の印刷データを予め指定した方法により加工して第二の印刷データを生成し、前記制御手段は、前記第一の印刷データおよび前記第二の印刷データを前記用紙の表面および裏面のそれぞれに印刷するように制御する。
【００１６】
また、前記印刷制御装置において、前記記憶手段は、前記第一の印刷データを記憶する第一の記憶手段と、前記第二の印刷データを記憶する第二の記憶手段と、を少なくとも含むことが好ましい。
【発明の効果】
【００１７】
本発明において、用紙全面に対応する第一の印刷データを表面に印刷し、第一の印刷データを予め指定した方法により加工した第二の印刷データを用紙の裏面に印刷することにより、用紙の表面に印刷された内容がその用紙の裏面に加工されて印刷されているため、用紙の表面に印刷された内容をその用紙を折り畳んだ状態でも参照可能とするような印刷を行うことができる。
【発明を実施するための最良の形態】
【００１８】
本発明の印刷制御方法の一実施形態は、図１に示すフローチャートの各工程を実行することにより実現される。
【００１９】
（実施形態1）
以下では本実施形態に係る印刷制御方法をコンピュータを用いて実現した場合の実施の形態について説明する。
【００２０】
本実施形態に係る印刷制御システムは、図２に示すように、印刷制御装置１０、画像形成装置２０、印刷ジョブ生成手段３０等を含んで構成することができる。印刷制御装置１０、画像形成装置２０、印刷ジョブ生成手段３０は、ネットワーク４０等の情報伝達媒体を介して、所定のプロトコルにしたがって相互に情報を伝達可能に接続されている。
【００２１】
印刷制御装置１０は、印刷ジョブ生成手段３０から印刷対象となる印刷ジョブを受け取り、画像形成装置２０を制御して所望の印刷を行う。このとき、用紙全面に対応する第一の印刷データを用紙の表面に印刷し、第一の印刷データを予め指定した方法により加工した第二の印刷データを用紙の裏面に印刷する。これにより、用紙の表面に印刷された内容をその用紙を折り畳んだ状態でも参照可能とするような印刷を行うことができる。このとき、第一の印刷データを用紙の裏面に、第二の印刷データを用紙の表面にそれぞれ印刷してもかまわない。
【００２２】
印刷ジョブ生成手段３０は、印刷ジョブを生成する手段であれば、特に制限はないが、例えば、ホストコンピュータとして働く情報処理装置や、コピー機、スキャナ等の文書読取装置や、ファックス等の文書送信装置等が挙げられる。印刷ジョブ生成手段３０は、データインターフェース３００を含む。印刷ジョブ生成手段３０は、印刷ジョブを生成し、プリンタドライバ等を介してデータインターフェース３００を用いて、ネットワーク４０等を介して印刷ジョブを印刷制御装置１０に送信する。例えば、印刷ジョブ生成手段３０が情報処理装置の場合、アプリケーションソフトウェアなどを用いて印刷ジョブを生成する。
【００２３】
印刷制御装置１０は、図１に示すように、制御部１００、記憶部１２０、及びデータインターフェース１４０等を含んで構成することができる。
【００２４】
制御部１００は、ＣＰＵ等の制御素子を含んで構成され、印刷制御装置１０を統合的に制御する機能を有する。
【００２５】
記憶部１２０は半導体メモリ、ハードディスク等を含んで構成され、制御部１００で処理されるプログラム、印刷データ等の電子情報を格納及び保持する。格納及び保持されるデータが大量となる場合には、磁気テープ装置、磁気ディスク装置、光ディスク装置、光磁気ディスク装置等の大容量記憶装置を補助記憶装置として用いることも好適である。
【００２６】
データインターフェース１４０は、ネットワーク４０等を介して画像形成装置２０におけるデータインターフェース２００及び印刷ジョブ生成手段３０におけるデータインターフェース３００と情報伝達可能に接続され、印刷ジョブまたは印刷データ等を送受信するために用いられる。
【００２７】
印刷制御装置１０は、さらに、モニタ等を含んで構成される表示手段や、キーボード、マウス、タッチパネル等を含んで構成される入力手段等を含んでもよい。表示手段と入力手段はタッチパネルなど一体のユーザインターフェースであってもよい。
【００２８】
印刷制御装置１０は、記憶部１２０に格納された印刷制御プログラムを実行することにより、画像形成装置２０における印刷の制御を行う。印刷制御装置１０は、データインターフェース１４０を用いて、ネットワーク４０等を介して印刷ジョブ生成手段３０から送信された印刷ジョブを受信する。また、印刷制御装置１０は、データインターフェース１４０を用いて、ネットワーク４０等を介して印刷データを画像形成装置２０に送信する。
【００２９】
画像形成装置２０は、例えば、電子写真方式、インクジェット方式、感熱方式、プロッタ方式等の各種のプリンタ、コピー機、複合機または印刷機等であり、用紙上に印刷対象となる印刷データに基づいて画像形成するものであればよい。
【００３０】
画像形成装置２０は、データインターフェース２００、制御部、印刷データ取得手段、給紙手段、印刷手段および排紙手段等を含んで構成することができる。
【００３１】
画像形成装置２０は、データインターフェース２００を用いて、ネットワーク４０等を介して印刷制御装置１０から印刷対象となる印刷データを受信する。制御部は、印刷データ取得手段から受け取った印刷データを印刷手段へと送信する。印刷手段では、送信された印刷データに基づいて用紙上に印刷結果画像を形成する。
【００３２】
なお、本実施形態における用紙とは、一般的な紙のみならず、ＯＨＰシート、厚紙、葉書等を含む印刷の被対象物全般を言う。また、印刷物とは、印刷が行われた用紙のことを示し、もちろん紙のみならずＯＨＰシート、厚紙、葉書等を含む概念である。本実施形態においては、用紙の表面に印刷された内容をその用紙を折り畳んだ状態でも参照可能とするような印刷を行うことから、用紙は折り畳みが容易な一般的な紙であることが好ましい。
【００３３】
本実施形態に係る印刷制御方法の各工程はコンピュータで処理可能な印刷制御プログラムに変換されて記憶部１２０に格納および保持される。制御部１００は、記憶部１２０に保持されている印刷制御プログラムを読み出し、各工程を順次実行する。本実施形態において各工程は必須要件ではなく適宜組み合わせて実行することができる。
【００３４】
図１に示すフローチャートの各工程において、ステップＳ１０では、印刷制御装置１０の制御部１００は、印刷ジョブ生成手段３０から印刷対象となる印刷ジョブを取得する。ここで、印刷ジョブとは、印刷を実行する処理のことであり、例えば、ＰＤＬデータ等が挙げられる。
【００３５】
ステップＳ１２では、制御部１００は、取得した印刷ジョブを展開して印刷データを生成する。ここで、「展開」とは、印刷ジョブ生成手段から取得したＰＤＬデータ等の印刷ジョブをプリントサーバ等により画像データに変換すること、またはＰＤＬデータ等の印刷ジョブにコマンドを追加すること等をいう。
【００３６】
このとき、印刷ジョブを展開して印刷データを生成する際に、用紙全面に対応する第一の印刷データを生成するとともに、第一の印刷データを予め指定した方法により加工して第二の印刷データを生成する。
【００３７】
ここで、用紙全面に対応する第一の印刷データとは、用紙上に通常に印刷されるデータである。第一の印刷データは通常、用紙の表面に印刷される。
【００３８】
また、第一の印刷データを予め指定した方法により加工した第二の印刷データとは、用紙上に通常に印刷されるデータをその用紙を折り畳んだ状態でも参照可能とするようなデータである。例えば、第一の印刷データを縮小して生成したデータであることが好ましい。このときの縮小率は、用紙の大きさや、印刷される印刷データの種類及び内容に応じて任意に決めることができるが、例えば、１／２、１／４、１／８、１／１６等の倍率とすることができる。第二の印刷データは通常、用紙の裏面に印刷される。
【００３９】
図３は、本実施形態に係る印刷制御装置１０により制御された画像形成装置２０によって形成された印刷結果画像の一例を説明する図である。
【００４０】
図３（ａ）は用紙の表面を表し、図３（ｂ）は用紙の裏面を表している。図３（ａ）および図３（ｂ）のそれぞれの頂点に付けられたＡ，Ｂ，Ｃ，Ｄの記号は、図３（ａ）および図３（ｂ）の問で対応する頂点を表している。図３（ａ）において、５００は用紙の表面に印刷される第一の印刷データを表している。用紙の裏面には、第一の印刷データ５００を縦方向および横方向のそれぞれに１／２ずつに縮小して、印刷領域の左上に配置した印刷データ５２０を印刷する。
【００４１】
この場合、図３（ａ）において、ｙ−ｙ’に沿って用紙を谷折して、その後、ｘ−ｘ’に沿って山折りして折り畳んだ状態が図３（ｃ）である。図３（ｃ）に示すように、図３（ａ）に示す第一の印刷データ５００を、縮小された第二の印刷データ５２０として用紙を折り畳んだ状態で参照することができる。
【００４２】
このように用紙の表面に印刷される第一の印刷データを縮小した第二の印刷データを用紙裏面に印刷することによって、用紙の表面に印刷された内容をその用紙を折り畳んだ状態でも参照することができる。例えば、複数の頁から成る文書情報を同時に閲覧する場合、通常は用紙を折り畳んだ状態で机上または部屋の壁面などにそれらの用紙を配置して、裏面に縮小印刷された内容を参照することができる。必要に応じて、例えばより詳細に内容を閲覧したい時には、折り畳んだ用紙を展開して表面に印刷された通常の大きさの印刷内容を確認することができる。また、用紙が折り畳まれた状態であるので一覧性を確保したまま、机上または部屋の壁面などに配置可能な用紙の数を増やすことができる。
【００４３】
また、第二の印刷データは、第一の印刷データの特定部分を抽出して生成したデータであることも好ましい。これにより、用紙の裏面には、表面に印刷される第一の印刷データのうちユーザが特に重要視する部分を抽出して第二の印刷データとして印刷することができる。この場合は、例えば、通常は用紙を折り畳んだ状態で机上または部屋の壁面などにそれらの用紙を配置して、表面に印刷された内容から抽出した部分が印刷された裏面の内容を参照する。必要に応じて、例えば、より詳細に内容を閲覧したい時には折り畳んだ用紙を展開して、表面に印刷された全体の印刷内容を確認することができる。
【００４４】
さらに、第二の印刷データは、第一の印刷データの特定部分を抽出し拡大して生成したデータであることも好ましい。これにより、用紙の裏面には、表面に印刷される第一の印刷データのうちユーザが特に重要視する部分を抽出し拡大して第二の印刷データとして印刷することができる。この場合は、例えば、通常は用紙を折り畳んだ状態で机上または部屋の壁面などにそれらの用紙を配置して、表面に印刷された内容から抽出し拡大した部分が印刷された裏面の内容を参照する。拡大されているので細かい画像を参照する場合に有効である。必要に応じて、例えば、より詳細に内容を閲覧したい時には折り畳んだ用紙を展開して、表面に印刷された全体の印刷内容を確認することができる。
【００４５】
また、さらに、このように生成した第二の印刷データの座標軸を回転させて、それを第二の印刷データとすることが好ましい。ここで、「回転させる」とは、印刷データに基づいて印刷したときに印刷結果画像が用紙の面内で回転するように印刷データの座標軸を回転させる処理のことをいう。例えば、元の印刷データに対して９０度あるいは１８０度回転させることが挙げられる。
【００４６】
例を図４に示す。図４（ａ）は用紙の表面を表し、図４（ｂ）は用紙の裏面を表している。図４（ａ）および図４（ｂ）のそれぞれの頂点に付けられたＡ，Ｂ，Ｃ，Ｄの記号は、図４（ａ）および図４（ｂ）の問で対応する頂点を表している。図４（ａ）において、６００は用紙の表面に印刷される第一の印刷データを表している。用紙の裏面には、第一の印刷データ６００を縦方向および横方向のそれぞれに１／２ずつに縮小して更に１８０度回転して、印刷領域の右下に配置した印刷データ６２０を印刷する。
【００４７】
この場合、図４（ａ）において、ｘ−ｘ’に沿って用紙を谷折して、その後、ｙ−ｙ’に沿って山折りして折り畳んだ状態が図４（ｃ）である。図４（ｃ）に示すように、図４（ａ）に示す第一の印刷データ６００を、縮小された第二の印刷データ６２０として用紙を折り畳んだ状態で参照することができる。このように、画像を回転させて第二の印刷データ６２０とすることにより、第二の印刷データを印刷する位置または用紙の折り畳み方によっては、第二の印刷データ６２０を用紙を折り畳んだ状態で容易に参照することができる。
【００４８】
また、このとき、第二の印刷データとして、折れ線を表す画像を重畳することが好ましい。折れ線を表す画像としては、折れ線を表す線であることが好ましい。折れ線を表す線としては、直線、破線、一点破線、二点破線、波線等が挙げられる。また、折れ線を表す画像は、第一の印刷データの加工方法に応じて用紙上に配置することができる。例えば、第一の印刷データを１／４に縮小して第二の印刷データとしたときは、用紙面上を１／４に区切るように、用紙の中央位置を通る水平方向及び垂直方向に位置されることが好ましい。他の縮小率の場合には、その縮小率に合わせて折れ線を表す画像を用紙上に配置することができる。
【００４９】
例を図５に示す。図５（ａ）は用紙の表面を表し、図５（ｂ）は用紙の裏面を表している。図５（ａ）および図５（ｂ）のそれぞれの頂点に付けられたＡ，Ｂ，Ｃ，Ｄの記号は、図５（ａ）および図５（ｂ）の問で対応する頂点を表している。図５（ａ）において、７００は用紙の表面に印刷される第一の印刷データを表している。用紙の裏面には、第一の印刷データ７００を縦方向および横方向のそれぞれに１／２ずつに縮小して更に１８０度回転して印刷領域の右下に配置した印刷データ７２０の上に、用紙の中央位置を通る縦方向の破線７４０及び用紙の中央位置を通る横方向の破線７６０を印刷する。
【００５０】
このように、折れ線を表す線が第二の印刷データとして、画像形成装置２０により用紙上に印刷されることによって、ユーザは第二の印刷データにより印刷された画像を参照するときに、折れ線を表す線に基づいて容易に用紙を折り畳むことができる。
【００５１】
図６は用紙裏面の印刷データを構成する手順を説明する図である。図６（ａ）において、８００は用紙表面に印刷される第一の印刷データである。図６（ｂ）において、８２０は表面の第一の印刷データ８００を縦方向および横方向のそれぞれに１／２ずつに縮小して更に１８０度回転して、印刷領域の右下に配置した印刷データである。
【００５２】
用紙表面の第一の印刷データ８００から印刷データ８２０を生成するには、例えば用紙表面の印刷データ８００の画素を縦方向および横方向のそれぞれにおいて一つおきに間引き、座標軸を１８０度回転するといった方法を適用することができる。
【００５３】
図６（ｃ）は、用紙の中央位置を通る縦方向の破線８４０および用紙の中央位置を通る横方向の破線８６０を重畳した印刷データ８８０である。図６（ｂ）に示す印刷データ８２０に対して、予め生成して保持しておいた図６（ｃ）に示す折れ線を表す線の印刷データ８８０を重畳することにより、図６（ｄ）に示すように、用紙裏面の第二の印刷データ９００を構成することができる。
【００５４】
以上のような、第二の印刷データを生成するために第一の印刷データを加工する方法は、印刷処理を行う前、又は印刷処理を行う際に予め指定しておくことが好ましい。加工方法の指定は、印刷ジョブ生成手段３０から印刷ジョブを印刷制御装置１０に送信する際に行うことができる。例えば、印刷ジョブ生成手段３０が情報処理装置である場合は、プリンタドライバ等のインタフェース上で行うことができる。また、加工方法の指定は、印刷制御装置１０から画像形成装置２０に印刷データを送信する際に行うこともできる。例えば、印刷制御装置１０にタッチパネル等の入力手段を設けて、その入力手段から指定することができる。また、加工方法の指定は、画像形成装置２０において印刷を開始する前にも行うことができる。例えば、印刷制御装置２０にタッチパネル等の入力手段を設けて、その入力手段から指定することができる。
【００５５】
ステップＳ１４では、制御部１００は、展開手段によって生成された印刷データを記憶部１２０に格納する。このとき、記憶部１００は、第一の印刷データを記憶する第一の記憶部１００ａと、第二の印刷データを記憶する第二の記憶部１００ｂと、を少なくとも含むことが好ましい。制御部１００は、第一の印刷データを生成して第一の記憶部１００ａに格納すると共に、第一の印刷データを予め指定した方法により加工して第二の印刷データを生成して第二の記憶部１００ｂに格納する。また、制御部１００は、第一の印刷データを生成して第一の記憶部１００ａに格納して、その格納した第一の印刷データを読み出して予め指定した方法により加工して第二の印刷データを生成して第二の記憶部１００ｂに格納してもよい。
【００５６】
第一の印刷データを記憶する第一の記憶部１００ａと、第二の印刷データを記憶する第二の記憶部１００ｂとを有することにより、第一の印刷データの生成が終わるのを待ってから、第二の印刷データの生成を行わなくてもよいため、処理時間が短縮される。第一の印刷データに基づく印刷と、第二の印刷データに基づく印刷の間に充分な時間があるときには、必ずしも第一の記憶部１００ａと、第二の記憶部１００ｂとを有する必要はない。
【００５７】
ステップＳ１６では、制御部１００は、データインターフェース１４０を用いて、第一の印刷データ及び第二の印刷データを画像形成装置２０に送信し、画像形成装置２０を制御する。このとき、例えば、第一の印刷データを用紙の表面に、第二の印刷データを用紙の裏面に印刷するように画像形成装置を制御する。
【００５８】
この後、画像形成装置２０において、印刷制御装置１０の制御に基づいて用紙上に印刷結果画像が形成される。画像形成装置２０では、制御部は、データインターフェース２００を用いて、印刷データを取得し、その印刷データに基づいて用紙上に印刷結果画像を形成する。
【００５９】
このとき、用紙の表面と裏面との両方に印刷結果画像を形成するために、画像形成装置２０は、両面印刷手段を有することが好ましい。画像形成装置２０が両面印刷手段を有さない場合には、表面に第一の印刷データに基づく印刷結果画像を形成した後、手動で用紙を裏面に返して第二の印刷データに基づく印刷結果画像を用紙の裏面に印刷してもよい。
【００６０】
（実施形態２）
本発明の別の実施形態において、印刷制御装置１０は、画像形成装置２０に組み込まれる形で実現してもよい。この場合、印刷ジョブ生成手段３０からネットワーク４０等を経由して受け取った印刷ジョブの各ページを、上述した方法に従って表面に関する第一の印刷データおよび裏面に関する第二の印刷データに展開し、用紙に印刷することで所望の印刷を実現することができる。
【００６１】
（実施形態３）
また、本発明のさらに別の実施形態において、印刷制御装置１０は、情報処理装置等の印刷ジョブ生成手段３０におけるプリンタドライバ等のソフトウェアあるいはそのフィルタとして実現してもよい。この場合、図１に示す各ステップは、コンピュータで処理可能な印刷制御プログラムに変換されて、プリンタドライバ等のソフトウェアに組み込まれる。プリンタドライバの内部で印刷ジョブを構成する際に、各々のぺ一ジに相当する第一の印刷データを生成した後に上述の方法で生成した裏面用の第二の印刷データを生成して付加し、ネットワーク４０等を介して画像形成装置２０に印刷を行うように指示すればよい。
【００６２】
この場合、上記ステップＳ１２において、印刷ジョブの展開を行う方法としては、解像度、印刷領域、座標軸の方向、座標軸の原点の位置等を指定することにより行われる。例えば、第一の印刷データ８００の解像度を縦横それぞれ半分にした上で座標軸を１８０度回転し原点を印刷領域の中央に平行移動したような描画領域を定義し、印刷ジョブを展開して表面の印刷データ８００を生成する際に同時にこの新たに定義した描画領域にも展開処理を行い第二の印刷データ８２０を生成することができる。
【００６３】
以上の方法によって、折り畳んだ状態でもその用紙に印刷された内容が参照できるような印刷結果を得ることが可能になる。
【００６４】
本実施形態に係る印刷制御方法を用いて印刷を行うと、用紙を折れ線に沿って折り畳んだ状態でも印刷内容を参照することが可能な印刷結果を得ることができる。このような印刷を行うことによって、限られた大きさしかない机や壁面にその面積以上の紙を一覧性を損うことなく配置することが可能になる。これによって、大量の頁に渡る文書などの情報を一度に参照しながら作業を行うことが可能になると同時に、折り畳まれた紙を開くことによって詳細な内容を容易に参照することができる。
【図面の簡単な説明】
【００６５】
【図１】本発明の一実施形態における印刷制御方法を示すチャート図である。
【図２】本発明の一実施形態における印刷制御システムを示すブロック図である。
【図３】本発明の一実施形態における画像形成装置により形成された印刷結果画像の一例を説明する図である。
【図４】本発明の一実施形態における画像形成装置により形成された印刷結果画像を説明する図である。
【図５】本発明の一実施形態における画像形成装置により形成された印刷結果画像を説明する図である。
【図６】本発明の一実施形態における第二の印刷データを構成する手順を説明する図である。
【符号の説明】
【００６６】
１０  印刷制御装置、２０  画像形成装置、３０  印刷ジョブ生成手段、４０  ネットワーク、１００  制御部、１２０  記憶部、１４０  データインターフェース、５００，６００，７００，８００  第一の印刷データ、５２０，６２０，７２０，９００  第二の印刷データ、７４０，７６０，８４０，８６０  破線、８２０  印刷データ、８８０  折れ線の印刷データ。
【図１】
2005234886.tif 000003
【図２】
2005234886.tif 000004
【図３】
2005234886.tif 000005
【図４】
2005234886.tif 000006
【図５】
2005234886.tif 000007
【図６】
2005234886.tif 000008